(57)【要約】【課題】電源ブロックおよび光源駆動ブロックを効率的に冷却するプロジェクターを提供する。【解決手段】プロジェクターは、光源を駆動する光源駆動ブロック７と、光源駆動ブロック７に電力を供給する電源ブロック６と、電源ブロック６および光源駆動ブロック７を冷却する冷却ファン５１と、電源ブロック６および光源駆動ブロック７を覆い、冷却ファン５１から吐出された空気を電源ブロック６および光源駆動ブロック７に導くダクト８と、を備え、電源ブロック６および光源駆動ブロック７は、冷却ファン５１が吐出する空気の流れる方向に沿って直列配置されている。【選択図】図７
2011002613.tif 000002
【特許請求の範囲】
【請求項１】
光源から射出された光束を画像情報に応じて変調して画像光を形成し、投写光学装置によって前記画像光を投写するプロジェクターであって、
前記光源を駆動する光源駆動ブロックと、
前記光源駆動ブロックに電力を供給する電源ブロックと、
前記光源駆動ブロックおよび前記電源ブロックを冷却する冷却ファンと、
前記光源駆動ブロックおよび前記電源ブロックを覆い、前記冷却ファンから吐出された空気を前記光源駆動ブロックおよび前記電源ブロックに導くダクトと、
を備え、
前記光源駆動ブロックおよび前記電源ブロックは、前記冷却ファンが吐出する空気の流れる方向に沿って直列配置されていることを特徴とするプロジェクター。
【請求項２】
請求項１に記載のプロジェクターであって、
前記電源ブロックおよび前記光源駆動ブロックは、駆動時に前記電源ブロックの構成要素の中で温度上昇の高い構成要素と、前記光源駆動ブロックの構成要素の中で温度上昇の高い構成要素とが、前記冷却ファンが空気を吐出する吐出方向において、前記冷却ファンの吐出口の略延長線上に配置されていることを特徴とするプロジェクター。
【請求項３】
請求項１または請求項２に記載のプロジェクターであって、
前記冷却ファンは、シロッコファンであることを特徴とするプロジェクター。
【請求項４】
請求項１〜請求項３のいずれか一項に記載のプロジェクターであって、
前記投写光学装置は、前記画像光を広角化するように反射する反射ミラーを備え、
前記光源駆動ブロックおよび前記電源ブロックは、互いの間に流れる前記空気の方向が、前記投写光学装置内の前記画像光の投写方向と反対方向になるように前記投写光学装置の側方に配置されていることを特徴とするプロジェクター。
【発明の詳細な説明】
【技術分野】
【０００１】
本発明は、画像光を投写するプロジェクターに関する。
【背景技術】
【０００２】
従来、光源から射出された光束を画像情報に応じて変調して画像光を形成し、その画像光をスクリーン等に投写するプロジェクターが知られている。このプロジェクターには、光源を駆動する光源駆動ブロック、光源駆動ブロックに電力を供給する電源ブロック、および光源駆動ブロックと電源ブロックとを冷却するための冷却ファン等が備えられている（例えば、特許文献１参照）。
【０００３】
特許文献１に記載のプロジェクターは、光源駆動ブロック（ランプ駆動ブロック）、電源ブロック、吸気用ファン、排気用ファン、吸気ダクトおよび排気ダクトを備え、光源駆動ブロックおよび電源ブロックは、積層して構成されている。
光源駆動ブロックは、内部に回路素子等を収納するランプ駆動ブロックケースを備え、このランプ駆動ブロックケースには、吸気用開口部、および排気用開口部が設けられている。電源ブロックは、内部に回路素子等を収納する電源ブロックケースを備え、この電源ブロックケースには、吸気用開口部、および排気用開口部が設けられている。
吸気ダクトは、吸気用ファンと、光源駆動ブロックおよび電源ブロックの吸気用開口部とに接続されている。排気ダクトは、排気用ファンと、光源駆動ブロックおよび電源ブロックの排気用開口部とに接続されている。
光源駆動ブロックおよび電源ブロックは、吸気用ファンから吐出され、吸気ダクトに導かれた空気によって冷却される。そして、光源駆動ブロックおよび電源ブロックを冷却することによって温まった空気は、排気ダクトに導かれ、排気用ファンによって排気される。
【先行技術文献】
【特許文献】
【０００４】
【特許文献１】特開２００６−３４３５６５号公報
【発明の概要】
【発明が解決しようとする課題】
【０００５】
しかしながら、特許文献１に記載のプロジェクターは、積層された光源駆動ブロックおよび電源ブロックの２つの吸気用開口部、つまり広い範囲の開口部に充分な空気を供給する必要がある。そのため、特許文献１に記載のプロジェクターは、吸気用ファンとして大型のタイプを用いたり、ファンを高速回転させたりする必要が生じる。吸気用ファンが大型化するとプロジェクターのサイズが大きくなるという課題がある。また、ファンを高速回転すると騒音が増し、プロジェクターから投写された画像を観察する観察者に不快感を与えるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光束を画像情報に応じて変調して画像光を形成し、投写光学装置によって前記画像光を投写するプロジェクターであって、前記光源を駆動する光源駆動ブロックと、前記光源駆動ブロックに電力を供給する電源ブロックと、前記光源駆動ブロックおよび前記電源ブロックを冷却する冷却ファンと、前記光源駆動ブロックおよび前記電源ブロックを覆い、前記冷却ファンから吐出された空気を前記光源駆動ブロックおよび前記電源ブロックに導くダクトと、を備え、前記光源駆動ブロックおよび前記電源ブロックは、前記冷却ファンが吐出する空気の流れる方向に沿って直列配置されていることを特徴とする。
【０００８】
この構成によれば、光源駆動ブロックおよび電源ブロックは、ダクトに覆われ、冷却ファンが吐出する空気の流れる方向に沿って直列配置されている。これによって、冷却ファンから吐出された空気は、ダクトに導かれ、電源ブロックから光源駆動ブロック、あるいは光源駆動ブロックから電源ブロックに順次送風される。よって、冷却ファンは、電源ブロックあるいは光源駆動ブロックに送風する風量で、電源ブロックおよび光源駆動ブロックを効率的に冷却することが可能となる。したがって、冷却ファンの小型化や冷却ファンの低速回転が可能となり、プロジェクターの小型化や低騒音化が図れる。
【０００９】
［適用例２］上記適用例に係るプロジェクターにおいて、前記電源ブロックおよび前記光源駆動ブロックは、駆動時に前記電源ブロックの構成要素の中で温度上昇の高い構成要素と、前記光源駆動ブロックの構成要素の中で温度上昇の高い構成要素とが、前記冷却ファンが空気を吐出する吐出方向において、前記冷却ファンの吐出口の略延長線上に配置されていることが好ましい。
【００１０】
この構成によれば、電源ブロックおよび光源駆動ブロックのそれぞれの構成要素の中で駆動時に温度上昇の高い構成要素（例えば、発熱量の大きい回路素子やその回路素子を放熱するためのヒートシンク）の双方が冷却ファンの吐出口の略延長線上に配置されている。冷却ファンから吐出される空気の風速は、吐出口の延長線上の領域がそれ以外の領域に比べて大きいので、略延長線上に配置された温度上昇の高い構成要素をより効率良く冷却することができる。よって、冷却ファンの能力を効果的に利用して、さらに効率的に電源ブロックおよび光源駆動ブロックを冷却することが可能となる。
【００１１】
［適用例３］上記適用例に係るプロジェクターにおいて、前記冷却ファンは、シロッコファンであることが好ましい。
【００１２】
この構成によれば、冷却ファンは、シロッコファンなので、軸流ファンに比べて空気の吐出圧が高く、回路素子間等の隙間に効率良く空気を流通させたり、駆動時に温度上昇の大きい構成要素に集中して空気を吹き付けたりすることができる。これによって、電源ブロックおよび光源駆動ブロックをさらに効率良く冷却することが可能となる。
【００１３】
［適用例４］上記適用例に係るプロジェクターにおいて、前記投写光学装置は、前記画像光を広角化するように反射する反射ミラーを備え、前記光源駆動ブロックおよび前記電源ブロックは、互いの間に流れる前記空気の方向が、前記投写光学装置内の前記画像光の投写方向と反対方向になるように前記投写光学装置の側方に配置されていることを特徴とする。
【００１４】
この構成によれば、投写光学装置は、反射ミラーを備えているので、反射ミラーを備えていない投写光学装置より投写光学装置の光路上の長さが長く構成される。そして、光源駆動ブロックおよび電源ブロックは、互いの間に流れる空気の方向が、投写光学装置内の画像光の投写方向と反対方向になるように投写光学装置の側方に配置されている。つまり、光源駆動ブロックおよび電源ブロックは、平面視において、投写光学装置と並設して直列配置され、光源駆動ブロックから電源ブロック、あるいは電源ブロックから光源駆動ブロックに流れた空気が光源の配置されている方向に流れるように構成することが可能となる。これによって、光源駆動ブロックおよび電源ブロックをスペース効率よくプロジェクター内に配置できると共に、光源駆動ブロック、電源ブロックを冷却した空気、および光源を冷却した空気をまとめてプロジェクターの外部に排出することが可能となる。よって、プロジェクターの小型化や薄型化が図れる。
【図面の簡単な説明】
【００１５】
【図１】本実施形態のプロジェクターの外観を示す斜視図。
【図２】本実施形態のプロジェクターの内部構成を示す斜視図。
【図３】本実施形態の光学ユニットを模式的に示す図。
【図４】本実施形態の電源ユニットの斜視図。
【図５】本実施形態の電源ユニットの斜視図。
【図６】本実施形態の電源ユニットの分解図。
【図７】本実施形態の電源ユニットの断面図。
【発明を実施するための形態】
【００１６】
以下、本実施形態に係るプロジェクターについて、図面を参照して説明する。
本実施形態のプロジェクターは、光源から射出された光束を画像情報に応じて変調して画像光を形成し、その画像光を拡大投写する。
図１は、本実施形態のプロジェクターの外観を示す斜視図である。
図１に示すように、プロジェクター１は、本体が外装筐体２で囲まれた構成になっている。
外装筐体２は、合成樹脂製であり、図１に示すように、図面視における上部を構成するアッパーケース２１、下部を構成するロアーケース２２等を備えており、これらは、ネジ等により固定されている。
【００１７】
図２は、プロジェクター１の内部構成を示す斜視図であり、アッパーケース２１を取り外した図である。
図２に示すように、外装筐体２内には、制御部（図示せず）、光学ユニット３、電源ユニット４、冷却ファン５１、および排気ファン５２等が配置されている。
光学ユニット３は、平面視略Ｌ字状に構成され、光源を有する光源装置３１、電気光学装置３５、および投写光学装置３６を備えている。光学ユニット３は、制御部による制御の下、光源から射出された光束を光学的に処理して画像情報に応じた画像光を電気光学装置３５にて形成し、この画像光を投写光学装置３６によってスクリーン等に画像を表示させる。
【００１８】
図２に示すように、光源装置３１は、外装筐体２の端部に配置され、投写光学装置３６は、外装筐体２の略中央部に配置される。なお、以下においては、説明の便宜上、光源装置３１から光束が射出される方向を右方向（＋Ｘ方向）、電気光学装置３５から画像光が射出される方向を前方向（＋Ｙ方向）、図１、図２の図面視における上を上方向（＋Ｚ方向）として記載する。
【００１９】
図１に示すように、アッパーケース２１の上面（＋Ｚ側の面）には、前側（＋Ｙ側）および後側（−Ｙ側）に傾斜面を有する凹部２１０が形成され、この凹部２１０の前側の傾斜面には、さらに矩形状の凹部２１１が形成されている。そして、この凹部２１１の底部には、図示しない開口部が設けられている。投写光学装置３６から射出された画像光は、この開口部から後方に向かって射出される。
アッパーケース２１の上面の前側には、複数の開口部が設けられており、この開口部からプロジェクター１の各種設定を行うための操作キー２３が露出している。アッパーケース２１の上面の後側には、光源装置３１の交換用の開口部２１２が形成されており、この開口部２１２は、ランプ蓋２４がアッパーケース２１に装着されることによって閉塞される。
【００２０】
アッパーケース２１の右側（＋Ｘ側）の側面には、外気を取り込むための吸気口（図示せず）が設けられている。吸気口は、複数の矩形状の貫通孔で構成されており、この吸気口の内側には、図示しない防塵フィルターが配置されている。そして、光学ユニット３は、この吸気口から取り込まれ、防塵フィルターを通過した空気によって冷却される。
【００２１】
ロアーケース２２には、図２に示すように、左側（−Ｘ側）の側面に排気口２２２が設けられている。排気口２２２は、複数の矩形状の貫通孔で構成されており、光源の点灯等によって温まった外装筐体２内の空気は、この排気口２２２から外部に排出される。ロアーケース２２には、排気口２２２の前方（＋Ｙ方向）に矩形状の凹部２２１が形成されている。凹部２２１は、左側を向く側面２２１Ａ、前側（＋Ｙ側）を向く側面２２１Ｂ、側面２２１Ｂと対向する側面２２１Ｃを有している。
【００２２】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００２３】
図３は、光学ユニット３を模式的に示す図である。
光学ユニット３は、図３に示すように、光源装置３１、照明光学装置３２、色分離光学装置３３、リレー光学装置３４、電気光学装置３５、投写光学装置３６、およびこれら各光学部品３１〜３６を所定位置に配置する光学部品用筐体３７を備える。
【００２４】
光源装置３１は、超高圧水銀ランプやメタルハライドランプ等からなる放電型の光源３１１およびリフレクター３１２等を備える。そして、光源装置３１は、光源３１１から射出された光束をリフレクター３１２によって射出方向を揃え、照明光学装置３２に向けて射出する。
【００２５】
照明光学装置３２は、第１レンズアレイ３２１、第２レンズアレイ３２２、偏光変換素子３２３、重畳レンズ３２４および調光装置３２５を備える。
第１レンズアレイ３２１は、光源３１１から射出された光束の光軸Ｌ方向から見て略矩形の輪郭を有する小レンズがマトリックス状に配列された構成を有しており、光源装置３１から射出された光束を複数の部分光束に分割する。第２レンズアレイ３２２は、第１レンズアレイ３２１と略同様の構成を有しており、重畳レンズ３２４とともに、部分光束を後述する液晶パネル３５２の表面に略重畳させる。偏光変換素子３２３は、第２レンズアレイ３２２から射出されたランダム偏光光を液晶パネル３５２で利用可能な略１種類の偏光光に揃える機能を有する。
【００２６】
調光装置３２５は、光源３１１から射出された光束の一部を遮光する遮光部材を備え、光束の通過光量を調整する機能を有している。
調光装置３２５は、遮光部材が第１レンズアレイ３２１と第２レンズアレイ３２２との間に配設され、制御部による制御のもと、この遮光部材の位置が変更される。そして、調光装置３２５は、光源３１１から射出され、第１レンズアレイ３２１を透過した光束の一部を遮光部材にて遮光して第２レンズアレイ３２２に入射する光量、ひいては、電気光学装置３５に入射する光量を調整し、投写画像のコントラスト向上に寄与する。
【００２７】
色分離光学装置３３は、２枚のダイクロイックミラー３３１，３３２、および反射ミラー３３３を備え、照明光学装置３２から射出された光束を赤色光（以下「Ｒ光」という）、緑色光（以下「Ｇ光」という）、青色光（以下「Ｂ光」という）の３色の色光に分離する機能を有する。
【００２８】
リレー光学装置３４は、入射側レンズ３４１、リレーレンズ３４３、および反射ミラー３４２，３４４を備え、第２のダイクロイックミラー３３２を透過したＲ光をＲ光用の液晶パネル３５２Ｒまで導く機能を有する。なお、光学ユニット３は、リレー光学装置３４がＲ光を導く構成としているが、これに限らず、例えば、Ｂ光を導く構成としてもよい。
【００２９】
電気光学装置３５は、入射側偏光板３５１、光変調装置としての液晶パネル３５２、射出側偏光板３５３、色合成光学装置としてのクロスダイクロイックプリズム３５４を備え、色分離光学装置３３から射出された各色光を画像情報に応じて変調して画像光を形成する。
【００３０】
投写光学装置３６は、複数のレンズを組み合わせた組レンズと、非球面形状の反射ミラー３８を有して構成されている。投写光学装置３６は、電気光学装置３５にて形成された画像光を組レンズから反射ミラー３８に射出し、反射ミラー３８によって画像光を広角化するように反射して投写する。このような構造とすることにより、投写距離の短い、いわゆる短焦点プロジェクターとして構成することができる。但し、反射ミラー３８を用いない通常の投写光学装置と比較して投写光学装置３６のサイズは大きくなる。なお、組レンズから反射ミラー３８に射出する画像光の方向を投写光学装置３６内の投写方向という。
【００３１】
電源ユニット４は、外部の商用電源から供給された交流電力を整流、平滑化し、光源３１１および制御部等に出力する。電源ユニット４は、図２に示すように、投写光学装置３６の−Ｘ側の側方に並設され、ロアーケース２２の凹部２２１近傍に、側面２２１Ａ，２２１Ｂ，２２１Ｃに沿うように配置される。
【００３２】
冷却ファン５１は、回転軸方向から吸入した空気を回転接線方向に吐出するシロッコファンで構成され、図２に示すように、電源ユニット４の前方向（＋Ｙ方向）に配置されている。そして、冷却ファン５１は、空気を吸入する吸入口５１１が上方向（＋Ｚ方向）を向き、空気を吐出する吐出口５１２（図６参照）が後方（−Ｙ方向）、つまり電源ユニット４を向くように配置される。そして、冷却ファン５１は、吸入口５１１から取り込んだ空気を吐出口５１２から後方に向けて吐出し、電源ユニット４を冷却する。なお、以下では、冷却ファン５１が空気を吐出する方向を「吐出方向」という。
【００３３】
排気ファン５２は、軸流ファンで構成され、図２に示すように、排気口２２２の内側、電源ユニット４および光源装置３１の左方向（−Ｘ方向）に配置される。そして、排気ファン５２は、電源ユニット４および光源装置３１等を冷却して温まった空気を排気口２２２を介して外装筐体２の外部に排出する。
【００３４】
ここで、電源ユニット４について詳細に説明する。
図４、図５は、電源ユニット４の斜視図であり、図４は、前方から見た図、図５は後方から見た斜視図である。図６は、電源ユニット４の分解図であり、前方から見た図である。
電源ユニット４は、図４〜図６に示すように、インレットコネクター４１（図２参照）、フィルター部４２、フィルター部４２に接続されたケーブル４３、電源ブロック６、光源駆動ブロック７、ダクト８、およびシールド板９を備えている。
【００３５】
インレットコネクター４１は、電源ケーブル（図示せず）が接続されるコネクターであり、このインレットコネクター４１から商用電源の電力が供給される。インレットコネクター４１は、図２に示すように、ロアーケース２２の側面２２１Ｃの内側に、差込口が後方（−Ｙ方向）を向くように配置される。そして、インレットコネクター４１に差し込まれた電源ケーブルは、アッパーケース２１がロアーケース２２に組み込まれた状態で上方（＋Ｚ方向）から見えないようになっており、外観性の向上が図られている。
【００３６】
フィルター部４２は、インレットコネクター４１に接続され、外部から供給された交流電力が発生するノイズをカットするように構成された回路素子、およびこの回路素子が実装された回路基板を有している。そして、フィルター部４２は、図２に示すように、インレットコネクター４１の右方向（＋Ｘ方向）に配置される。
【００３７】
ケーブル４３には、インターロックスイッチ４４およびサーモスタット４５が接続されている。ケーブル４３は、フィルター部４２と電源ブロック６との間に接続され、フィルター部４２から出力される電力を電源ブロック６に出力する。
インターロックスイッチ４４は、安全保全のために設けられ、押圧式スイッチで構成されている。インターロックスイッチ４４は、排気ファン５２の後方（−Ｙ方向）にランプ蓋２４の開閉によってＯＮ／ＯＦＦが切り換え可能に配置され、ランプ蓋２４が開けられた際にＯＦＦとなり、電源ブロック６への電力の供給が遮断される。
【００３８】
サーモスタット４５は、安全保全のために設けられ、光源装置３１近傍に配置される。そして、サーモスタット４５は、排気口２２２が塞がれた際等、光源装置３１が所定の温度に上昇した際にＯＦＦとなり、電源ブロック６への電力の供給が遮断される。
ケーブル４３は、自身の発生するノイズが他の回路に与える影響を抑制するために、図４、図５に示すように、後で詳細に説明するシールド板９の外側に配置される。
【００３９】
電源ブロック６は、ケーブル４３を介してフィルター部４２に接続され、フィルター部４２から出力された交流電力を整流し、各種の電圧値の直流電力に変換して光源駆動ブロック７および制御部等に出力する。
【００４０】
図７は、電源ユニット４の断面図であり、ロアーケース２２に組み込まれた状態を左方（−Ｘ方向）から見た図である。
電源ブロック６は、図７に示すように、フィルター部４２から出力された交流を所定の電圧に変換するためのコイルＬ１、トランジスターＴ１，Ｔ２、ダイオードＤ１等の回路素子が実装された電源回路基板６１、ヒートシンク６２等を備えている。コイルＬ１、トランジスターＴ１，Ｔ２、ダイオードＤ１およびヒートシンク６２は、電源ブロック６の構成要素の中で駆動時に温度上昇の高い構成要素となっている。
【００４１】
電源回路基板６１は、平面視長方形状に形成され、ネジが挿通される貫通孔が複数設けられている。
ヒートシンク６２は、アルミニウム等の材料で板状に形成され、回路素子を放熱するために設けられている。そして、ヒートシンク６２は、図６、図７に示すように、他の部材を介して電源回路基板６１と略平行に取り付けられている。なお、ヒートシンク６２は、板状に限らず、複数のフィンを有するように形成してもよい。
【００４２】
図７に示すように、トランジスターＴ２は、ヒートシンク６２の電源回路基板６１側の面に固定され、電源回路基板６１の一方の面に実装されている。コイルＬ１、トランジスターＴ１、ダイオードＤ１は、電源回路基板６１の長手方向に沿って略直線上に配置され、ヒートシンク６２が実装されている面の反対側の面に実装されている。
【００４３】
電源ブロック６は、電源回路基板６１の貫通孔にネジが挿通されて後で詳細に説明する電源用シールド板９１にネジ固定されている。そして、電源ブロック６は、図７に示すように、電源回路基板６１の長手方向が前後方向（±Ｙ方向）に沿い、ヒートシンク６２が実装されている面が上側（＋Ｚ側）となるように、ロアーケース２２の側面２２１Ａ（図２参照）の内側に配置される。また、電源ブロック６は、コイルＬ１、トランジスターＴ１、ダイオードＤ１、およびヒートシンク６２が吐出方向において、吐出口５１２の略延長線上に位置するように配置される。
【００４４】
光源駆動ブロック７は、電源ブロック６から供給される直流電流を整流、変圧して交流矩形波電流を発生させ、光源３１１を駆動する。
光源駆動ブロック７は、図７に示すように、交流矩形波電流を発生させるためのコイルＬ２、トランジスターＴ３等が実装された光源駆動回路基板７１、およびトランジスターＴ３を放熱するためのヒートシンク７２等を備えている。コイルＬ２、トランジスターＴ３およびヒートシンク７２は、光源駆動ブロック７の構成要素の中で駆動時に温度上昇の高い構成要素となっている。
【００４５】
光源駆動回路基板７１は、平面視長方形状に形成されている。ヒートシンク７２は、アルミニウム等の板材から断面視Ｌ字状に形成されている。そして、ヒートシンク７２は、図７に示すように、Ｌ字状の一方の片（垂直部７２１）が光源駆動回路基板７１の短手方向の端部近傍に実装され、他方の片（水平部７２２）が光源駆動回路基板７１に対して略平行に延出するように配置される。つまり、ヒートシンク７２は、光源駆動回路基板７１の短手方向において、一方の側に光源駆動回路基板７１とで形成される開口部７２３を有して光源駆動回路基板７１に配置される。なお、ヒートシンク７２は、板状に限らず、複数のフィンを有するように形成してもよい。
【００４６】
図７に示すように、トランジスターＴ３は、垂直部７２１に固定されて光源駆動回路基板７１の一方の面に実装されている。コイルＬ２等の回路素子は、光源駆動回路基板７１と水平部７２２との間に位置するように実装される。
【００４７】
光源駆動ブロック７は、光源駆動回路基板７１が後で詳細に説明するダクト８に掛止されて固定される。そして、光源駆動ブロック７は、ヒートシンク７２が実装されている面が下側（−Ｚ側）となり、光源駆動回路基板７１の長手方向が左右方向（±Ｙ方向）に沿うように、電源ブロック６の後方（−Ｙ方向）に配置される。つまり、光源駆動ブロック７は、電源ブロック６とで、上方（＋Ｚ方向）から見て略Ｌ字状になるように配置される。
【００４８】
光源駆動ブロック７は、図７に示すように、開口部７２３が前方（＋Ｙ方向）を向き、上下方向において、この開口部７２３の略中央部が電源回路基板６１の位置と同等になるように配置される。つまり、光源駆動ブロック７は、コイルＬ２、トランジスターＴ３およびヒートシンク７２が吐出方向において、吐出口５１２の略延長線上に位置するように配置される。また、ヒートシンク７２は、垂直部７２１および水平部７２２が左右方向（±Ｘ方向）に沿うように配置される。
【００４９】
ダクト８は、合成樹脂製であり、図４〜図６に示すように、電源ブロック６および光源駆動ブロック７を覆うように箱状に形成され、上方（＋Ｚ方向）から見て略Ｌ字状になっている。ダクト８は、冷却ファン５１から吐出された空気を電源ブロック６および光源駆動ブロック７に導く。ダクト８は、電源ブロック６を覆う電源ダクト部８１、および光源駆動ブロック７を覆う光源駆動ダクト部８２を有している。
【００５０】
具体的に、電源ダクト部８１は、図５、図６に示すように、電源ブロック６の上方（＋Ｚ方向）、右方（＋Ｘ方向）、左方（−Ｘ方向）をそれぞれ覆う上面部８１Ａ、右面部８１Ｂ、左面部８１Ｃを有している。そして、電源ダクト部８１は、上面部８１Ａ、右面部８１Ｂ、左面部８１Ｃの前側（＋Ｙ側）端部から前方に向かって徐々に外形が小さくなるように延出する部位を有し、この部位の前側（＋Ｙ側）端部には、図６に示すように、±Ｙ方向に開口する開口部８１１が形成されている。そして、この開口部８１１は、冷却ファン５１の吐出口５１２が形成された突出部５１３を覆っている。
【００５１】
光源駆動ダクト部８２は、図５、図６に示すように、上面部８２Ａ、前面部８２Ｃ、右面部８２Ｂ、および後面部８２Ｄを有し、左側（−Ｘ側）端部には、±Ｘ方向に開口する開口部８２１が設けられている。そして、この開口部８２１の左方（−Ｘ方向）には、図４に示すように、排気ファン５２が配置されている。
【００５２】
具体的に、上面部８２Ａは、図６に示すように、電源ダクト部８１の上面部８１Ａの後側（−Ｙ側）端部から後方に延出し、光源駆動ブロック７の上方を覆うように形成されている。前面部８２Ｃは、電源ダクト部８１の左面部８１Ｃの後側端部から屈曲して左方（−Ｘ方向）に延出し、光源駆動ブロック７の前方（＋Ｙ方向）の左側を覆うように形成されている。右面部８２Ｂは、図５に示すように、電源ダクト部８１の右面部８１Ｂの後側端部から後方に延出し、光源駆動ブロック７の右方を覆うように形成されている。後面部８２Ｄは、図５に示すように、光源駆動ブロック７の後方を覆うように形成されている。
このように、ダクト８は、冷却ファン５１から吐出された空気が電源ダクト部８１の開口部８１１から流入され、光源駆動ダクト部８２の開口部８２１から排出されるように形成されている。
【００５３】
また、電源ダクト部８１は、図４に示すように、上面部８１Ａの右側（＋Ｘ側）端部近傍にケーブル４３を係止する係止部８１２が複数形成されている。係止部８１２は、断面視Ｌ字状に形成されており、ケーブル４３は、この係止部８１２と上面部８１Ａとの間で挟持され、左方（−Ｘ方向）および上下方向（±Ｚ方向）の移動が規制されている。
上面部８１Ａの後側には、上方向（＋Ｚ方向）に突出する突出部８１３が設けられ、この突出部８１３には、上下方向（±Ｚ方向）に開口する開口部８１４が形成されている。この開口部８１４には、電源ブロック６から制御部に接続されるケーブル（図示せず）が挿通される。突出部８１３は、図４に示すように、上面部８１Ａから突出している部位によって、係止部８１２と後述する係止部８２２との間のケーブル４３を案内する機能も有している。
【００５４】
光源駆動ダクト部８２は、図４に示すように、上面部８２Ａの略中央部および後側（−Ｙ側）に、係止部８２２および突出ピン８２３が形成されている。係止部８２２は、電源ダクト部８１の係止部８１２と同様に断面視Ｌ字状に形成され、ケーブル４３が係止される。突出ピン８２３は、係止部８２２に対応して設けられ、係止部８２２に係止されたケーブル４３の脱落を防止するように形成されている。
【００５５】
光源駆動ダクト部８２は、図５に示すように、後面部８２Ｄに係止部８２４、および突起部８２５が形成されている。係止部８２４は、係止部８２２と同様に断面視Ｌ字状に形成され、後面部８２Ｄとの間でケーブル４３を挟持する。突起部８２５は、係止部８２４に対応して設けられ、係止部８２４に係止されたケーブル４３の脱落を防止するように形成されている。また、後面部８２Ｄの下端略中央部には、図５に示すように、後方（−Ｙ方向）に突出する取付部８２６が形成され、この取付部８２６には、ネジが挿通される貫通孔８２６Ａが設けられている。
【００５６】
図６に示すように、開口部８２１の上側（＋Ｚ側）には、箱状に形成された保持部８２７が設けられており、この保持部８２７には、光源駆動ブロック７の温度を監視する温度検出部７３が配置される。温度検出部７３は、サーミスタが実装された回路基板７３１を備え、この回路基板７３１が保持部８２７に掛止される。そして、温度検出部７３は、検出した結果を制御部に出力し、制御部は、この温度検出部７３の検出結果に基づいて、排気ファン５２の回転数の制御や、温度異常の際の警告表示等の制御を行う。
【００５７】
シールド板９は、ダクト８の外側に配置され、電源ブロック６および光源駆動ブロック７が放射する電磁波を遮蔽するように構成されている。シールド板９は、図４〜図６に示すように、電源ダクト部８１を覆うように形成された電源用シールド板９１、および光源駆動ダクト部８２を覆うように形成された光源駆動用シールド板９２を備えている。
具体的に、電源用シールド板９１は、板金で形成され、電源ダクト部８１の上面部８１Ａ、右面部８１Ｂ、左面部８１Ｃにそれぞれ積層される上面部９１Ａ、右面部９１Ｂ、左面部９１Ｃを有している。
【００５８】
上面部９１Ａには、図４〜図６に示すように、係止部８１２が露出する孔が形成され、上面部９１Ａの後側端部には、上面部９１Ａより上方に突出し、上面部９１Ａと略平行に延出する接続部９１１が形成されている。そして、この接続部９１１には、ネジ孔９１１Ａが設けられている。左面部９１Ｃの後側（−Ｙ側）には、内側に向かって屈曲する部位（図示せず）が形成され、この部位には、ネジ孔が設けられている。電源回路基板６１は、この部位にネジ固定される。
【００５９】
電源用シールド板９１には、図４、図６に示すように、左面部９１Ｃの下側端部から屈曲され、左方に突出する取付部９１２が複数形成されており、この取付部９１２には、ネジが挿通される貫通孔９１２Ａが設けられている。また、電源用シールド板９１には、図５に示すように、右面部９１Ｂの下側端部から屈曲され、右方に突出する取付部９１３が形成されており、この取付部９１３には、ネジが挿通される貫通孔９１３Ａが設けられている。電源ユニット４は、貫通孔９１２Ａ，９１３Ａおよび前述したダクト８の貫通孔８２６Ａにネジが挿通されてロアーケース２２に固定される。
【００６０】
光源駆動用シールド板９２は、電源用シールド板９１より薄い板厚の板金で形成され、光源駆動ダクト部８２の上面部８２Ａ、右面部８２Ｂ、前面部８２Ｃ、後面部８２Ｄにそれぞれ積層される上面部９２Ａ、右面部９２Ｂ、前面部９２Ｃ、後面部９２Ｄを有している。
【００６１】
上面部９２Ａおよび後面部９２Ｄには、図４、図５に示すように、係止部８２２，８２４、突出ピン８２３および突起部８２５が露出する孔が形成されている。また、上面部９２Ａの前側端部には、電源用シールド板９１の接続部９１１に積層される接続部９２１が形成されており、この接続部９２１には、ネジ孔９１１Ａに対応する孔が設けられている。接続部９２１は、この孔にネジが挿通されて接続部９１１に固定されると共に、電気的に接続される。
【００６２】
前面部９２Ｃの下側端部には、図４、図６に示すように、電源用シールド板９１の取付部９１２に積層される接続部９２２が形成されており、この接続部９２２には、貫通孔９１２Ａに対応する孔が設けられている。接続部９２２は、取付部９１２に積層されて取付部９１２と共にロアーケース２２にネジ固定される。そして、接続部９２２と取付部９１２とは、電気的に接続される。
【００６３】
図５に示すように、右面部９２Ｂおよび後面部９２Ｄの下側端部には、右方、後方にそれぞれ突出する接続部９２３が複数形成されており、この接続部９２３には、ネジが挿通される孔が設けられている。接続部９２３は、電源ユニット４の下方に配置されたシールド板２５（図７参照）と共にロアーケース２２にネジ固定される。そして、接続部９２３とシールド板２５とは、電気的に接続される。
【００６４】
ここで、冷却ファン５１から吐出された空気の流れについて説明する。
図４、図７に示すように、冷却ファン５１から吐出された空気（流れＦ１）は、電源ブロック６の回路素子等を冷却した後、光源駆動ブロック７に流れ（流れＦ２）、光源駆動ブロック７の回路素子等を冷却する。そして、光源駆動ブロック７の回路素子等を冷却した空気は、排気ファン５２によって排気される（流れＦ３〜Ｆ４）。
【００６５】
より具体的に、冷却ファン５１から吐出された空気は、電源ブロック６の前側（＋Ｙ側）から吐出方向（−Ｙ方向）に沿って各構成要素に順次送風される。この空気の中で、吐出口５１２の略延長線上に配置されているコイルＬ１、トランジスターＴ１、ダイオードＤ１、およびヒートシンク６２には、より大きな風速が吹き付けられる。
そして、光源駆動ブロック７には、開口部７２３から空気が流入し、前側（＋Ｙ側）から吐出方向（−Ｙ方向）に沿って各構成要素に順次送風される。この空気の中で、吐出口５１２の略延長線上に配置されているコイルＬ２、トランジスターＴ３およびヒートシンク７２には、より大きな風速が吹き付けられる。そして、光源駆動ブロック７を冷却した空気は、排気ファン５２に吸気されて左方（−Ｘ方向）に排出される。
【００６６】
このように、電源ブロック６および光源駆動ブロック７は、冷却ファン５１が空気を吐出する空気の流れる方向に沿って直列配置されている。また、電源ブロック６および光源駆動ブロック７は、互いの間に流れる空気の方向が、投写光学装置３６内の画像光の投写方向と反対方向になるように投写光学装置３６の側方に配置されている。そして、電源ブロック６および光源駆動ブロック７のそれぞれの構成要素の中で温度上昇の高い構成要素の双方が冷却ファン５１の吐出口５１２の略延長線上に配置されている。
【００６７】
以上説明したように、本実施形態のプロジェクター１によれば、以下の効果を得ることができる。
（１）電源ブロック６および光源駆動ブロック７は、冷却ファン５１が吐出する空気の流れる方向に沿って直列配置されている。これによって、冷却ファン５１から吐出された空気は、電源ブロック６から光源駆動ブロック７に順次送風される。よって、冷却ファン５１は、電源ブロック６に送風する風量で、電源ブロック６および光源駆動ブロック７を効率的に冷却することが可能となる。したがって、冷却ファン５１の小型化や冷却ファン５１の低速回転が可能となり、プロジェクター１の小型化や低騒音化が図れる。
【００６８】
（２）電源ブロック６および光源駆動ブロック７のそれぞれの構成要素の中で駆動時に温度上昇の高い構成要素の双方が、冷却ファン５１の吐出口５１２の略延長線上に配置されている。冷却ファン５１から吐出される空気の風速は、吐出口５１２の延長線上の領域がそれ以外の領域に比べて大きいので、略延長線上に配置された温度上昇の高い構成要素をより効率良く冷却することができる。よって、冷却ファン５１の能力を効果的に利用して、さらに効率的に電源ブロック６および光源駆動ブロック７を冷却することが可能となる。
【００６９】
（３）冷却ファン５１は、シロッコファンなので、軸流ファンに比べて空気の吐出圧が高く、電源ブロック６および光源駆動ブロック７のそれぞれの回路素子間等の隙間に効率良く空気を流通させたり、温度上昇の大きい構成要素に集中して空気を吹き付けたりすることができる。これによって、電源ブロック６および光源駆動ブロック７をさらに効率良く冷却することが可能となる。
【００７０】
（４）電源ブロック６および光源駆動ブロック７は、平面視において、投写光学装置３６と並設して直列配置され、電源ブロック６から光源駆動ブロック７に流れた空気が光源装置３１の配置されている方向に流れるように構成されている。これによって、電源ブロック６および光源駆動ブロック７をスペース効率よくプロジェクター１内に配置できると共に、電源ブロック６、光源駆動ブロック７を冷却した空気、および光源装置３１を冷却した空気をまとめてプロジェクター１の外部に排出することができる。よって、プロジェクター１の小型化や薄型化が図れる。
【００７１】
（５）ヒートシンク７２は、垂直部７２１および水平部７２２が左右方向（±Ｘ方向）に沿うように配置されている。つまり、ヒートシンク７２は、排気ファン５２に吸気される空気の流れの抵抗となりにくいように配置されている。これによって、風きり音が発生しにくくなるのでプロジェクター１の低騒音化が図れる。
【００７２】
（６）ダクト８は、一体的に形成されているので、スペース効率良く構成できると共に、部品点数が少ないので組立工程の簡素化やアフターサービス性の向上が図れる。
【００７３】
（７）ダクト８には、係止部８１２，８２２，８２４等が形成され、ケーブル４３がシールド板９の外側に安定して保持されるので、部品点数を増やすことなく、ケーブル４３から放射されるノイズの影響を安定して抑制できる。
【００７４】
（変形例）
なお、前記実施形態は、以下のように変更してもよい。
前記実施形態では、冷却ファン５１が吐出する空気の流れに対して、電源ブロック６が光源駆動ブロック７の上流側となるように構成されているが、光源駆動ブロック７が電源ブロック６の上流側となるように構成してもよい。
【００７５】
前記実施形態のプロジェクター１は、光変調装置として透過型の液晶パネル３５２を用いているが、反射型液晶パネルを利用したものであってもよい。また、光変調装置は、マイクロミラーアレイを用いたデバイス等を使用したものであってもよい。
【００７６】
光源３１１は放電型のランプに限らず、その他の方式のランプや発光ダイオード等の固体光源で構成してもよい。
【符号の説明】
【００７７】
１…プロジェクター、２…外装筐体、３…光学ユニット、４…電源ユニット、６…電源ブロック、７…光源駆動ブロック、８…ダクト、９…シールド板、３１…光源装置、３６…投写光学装置、４１…インレットコネクター、４２…フィルター部、４３…ケーブル、５１…冷却ファン、５２…排気ファン、６１…電源回路基板、６２，７２…ヒートシンク、７１…光源駆動回路基板、３１１…光源、Ｌ１，Ｌ２…コイル、Ｄ１…ダイオード、Ｔ１，Ｔ２，Ｔ３…トランジスター。
【図１】
2011002613.tif 000003
【図２】
2011002613.tif 000004
【図３】
2011002613.tif 000005
【図４】
2011002613.tif 000006
【図５】
2011002613.tif 000007
【図６】
2011002613.tif 000008
【図７】
2011002613.tif 000009